【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
プレナムチャンバを備えている患者インタフェースフレームに連結するように構成され、鼻上シール部および口シール部を備えている、患者インタフェースのための発泡体クッションアセンブリであって、
前記患者の鼻および口の周りをシールするために配置されている発泡体クッションと、
前記発泡体クッションに連結するように配置されたクッション支持部品であって、前記クッションの少なくとも周辺にわたって、厚さに対する高さの割合が少なくとも３であることを特徴とするクッション支持部品とを備える、発泡体クッションアセンブリ。
【請求項２】
前記クッション支持部品が可撓性である、請求項１に記載の発泡体クッションアセンブリ。
【請求項３】
前記クッション支持部品は、可撓性であり、剛性材料から形成され、１つまたは複数のコンプライアンス領域を導入することにより可撓性を生じさせる、請求項２に記載の発泡体クッションアセンブリ。
【請求項４】
前記コンプライアンス領域は、脆弱線または脆弱領域を導入することによって形成されている、請求項３に記載の発泡体クッションアセンブリ。
【請求項５】
前記クッション支持部品は、使用時に前記患者インタフェースに圧力が加えられたときに空気ばね効果を容易にする、内側への凹形状、寸法、および材料特性を有している、請求項１または２に記載の発泡体クッションアセンブリ。
【請求項６】
前記クッション支持部品は、発泡体およびシリコーン以外の材料から作られている、請求項１から５のいずれか１項に記載の発泡体クッションアセンブリ。
【請求項７】
前記発泡体クッションは、前記クッション支持部品に外側から取り付けられている、請求項１から６のいずれか１項に記載の発泡体クッションアセンブリ。
【請求項８】
前記発砲対クッションは、使用時に患者の皮膚に直接接触する発砲体表面により構成されている、請求項１から７のいずれか１項に記載の発泡体クッションアセンブリ。
【請求項９】
前記発泡体クッションは、限られた透過性を有する半連続気泡発泡体である、請求項１から８のいずれか１項に記載の発泡体クッションアセンブリ。
【請求項１０】
前記発泡体クッションは、毎分約０〜２０リットルの透過性特徴を有している、請求項１から９のいずれか１項に記載の発泡体クッションアセンブリ。
【請求項１１】
前記発泡体クッションは、約１１０．４８〜３０３．１１ニュートンの押込硬度特徴を有している、請求項１から１０のいずれか１項に記載の発泡体クッションアセンブリ。
【請求項１２】
前記発泡体クッションは、約２．３２〜７．２６キロパスカルの圧縮応力歪み特徴を有している、請求項１から１１のいずれか１項に記載の発泡体クッションアセンブリ。
【請求項１３】
前記発泡体クッションは、約２４．３〜１１７．８５キログラム毎立方メートルの見掛け密度特徴を有している、請求項１から１２のいずれか１項に記載の発泡体クッションアセンブリ。
【請求項１４】
前記発泡体クッションは、約０．１６〜１７．３０パーセントの圧縮永久歪み特徴を有している、請求項１から１３のいずれか１項に記載の発泡体クッションアセンブリ。
【請求項１５】
前記クッション支持部品は、Ｌ字型、Ｃ字型および／またはＺ字型である、請求項１から１４のいずれか１項に記載の発泡体クッションアセンブリ。
【請求項１６】
前記クッション支持部品は、前記クッションを取り付ける接触面を提供する発泡体クッション連結部、第２の支持部品または前記フレームに取り付けるための可撓性支持部および基部を含んでいる、請求項１から１５のいずれか１項に記載の発泡体クッションアセンブリ。
【請求項１７】
前記クッション支持部品の形状、寸法、および材料特徴が、前記クッション支持部品の少なくとも一部が片持ちばねとして、使用時に作用するように選択されている、請求項１から１６のいずれか１項に記載の発泡体クッションアセンブリ。
【請求項１８】
前記クッション支持部品および前記フレームに連結するように構成された第２の支持部品をさらに備えている、請求項１から１７のいずれか１項に記載の発泡体クッションアセンブリ。
【請求項１９】
前記第２の支持部品は、前記クッション支持部品より剛性が高く、前記クッション支持部品が前記発泡体クッションより剛性が高い、請求項１８に記載の発泡体クッションアセンブリ。
【請求項２０】
前記発泡体クッションおよび前記クッション支持部品は、一体接続されている、請求項１から１９のいずれか１項に記載の発泡体クッションアセンブリ。
【請求項２１】
前記発泡体クッション、前記クッション支持部品、および前記第２の支持部品は、一体接続されている、請求項１８から２０のいずれか１項に記載の発泡体クッションアセンブリ。
【請求項２２】
前記クッションアセンブリの外周に沿った少なくとも一部の部分に、異なるレベルの支持およびコンプライアンスが与えられるように構成されている、請求項１から２１のいずれか１項に記載の発泡体クッションアセンブリ。
【請求項２３】
１つまたは複数のパラメータが前記クッション支持部品の外周の少なくとも一部の部分で変化し、前記パラメータが、
前記クッション支持部品および／または前記発泡体クッションのばね定数、
前記クッション支持部品および／または前記発泡体クッションの横断面プロファイル、
前記クッション支持部品の壁厚さ、
前記発泡体クッションを取り付ける前記クッション支持部品の接触面の角度、
前記支持接触面に対する前記発泡体クッションの張出し長さ、および
発泡体厚さを含む、請求項２２に記載の発泡体クッションアセンブリ。
【請求項２４】
前記発砲体クッションおよび前記クッション支持部品のばね定数は、０．０５ニュートン毎ミリメートル〜０．１８ニュートン毎ミリメートルであることを特徴とする、請求項１から２３のいずれか１項に記載の発泡体クッションアセンブリ。
【請求項２５】
前記クッション支持部品は、前記発砲体を取り付けるために、内向きに張り出している外周リップを形成している、請求項１から２４のいずれか１項に記載の発泡体クッションアセンブリ。
【請求項２６】
前記クッション支持部材の内面を有し、前記内面は、前記プレナムチャンバ内の丸い内面である、請求項２５に記載の発泡体クッションアセンブリ。
【請求項２７】
前記外周リップと前記発砲体クッションの係合は、前記リップの外周に沿った少なくとも一部に張出し発砲部を形成している、請求項２５に記載の発泡体クッションアセンブリ。
【請求項２８】
前記クッション支持部品は、プレナムチャンバ内の第１の面を有するクッションカップリング部を備え、該クッションカップリング部は、前記第１の面の反対側に位置する第２の面を有しており、前記発砲体は、前記第２の面に取り付けられている、請求項１から２７のいずれか１項に記載の発泡体クッションアセンブリ。
【請求項２９】
前記クッション支持部材のクッションカップリング部は、使用時に前記プレナムチャンバに巻込み反応をもたらすように構成されている、請求項１から２８のいずれか１項に記載の発泡体クッションアセンブリ。
【請求項３０】
使用時に、ヘッドギアストラップによって押し下げられて、前記発泡体クッションのそれぞれの領域に圧力を加えるように構成された突起をさらに備えている、請求項１から２９のいずれか１項に記載の発泡体クッションアセンブリ。
【請求項３１】
発砲体クッションは、使用者の鼻を使用時に支えるように構成された鼻凹部を備えている、請求項１から３０のいずれか１項に記載の発泡体クッションアセンブリ。
【請求項３２】
前記鼻凹部は、発砲体クッションの部分的に取り除かれる平坦な接触面によって形成されている、請求項３１に記載の発泡体クッションアセンブリ。
【請求項３３】
前記クッション支持部品は、接触面が設けられている発砲体クッションカップリング部を備え、これに前記発砲体クッションが取り付けられている、請求項１から３２のいずれか１項に記載の発泡体クッションアセンブリ。
【請求項３４】
前記クッション支持部品は、内側に、凹形状を有している、請求項１から３３のいずれか１項に記載の発泡体クッションアセンブリ。
【請求項３５】
厚さに対する前記高さの割合は、１０から１００である、請求項１から３４のいずれか１項に記載の発泡体クッションアセンブリ。
【請求項３６】
厚さに対する前記高さの割合は、５から８０である、請求項１から３４のいずれか１項に記載の発泡体クッションアセンブリ。
【請求項３７】
厚さに対する前記高さの割合は、３から８０である、請求項１から３４のいずれか１項に記載の発泡体クッションアセンブリ。
【請求項３８】
前記クッション支持部品の鼻梁領域は、厚さに対する前記高さの割合が、５から８０である、請求項１から３７のいずれか１項に記載の発泡体クッションアセンブリ。
【請求項３９】
前記クッション支持部品の鼻側部領域は、厚さに対する高さの割合が、５から８０である、請求項１から３８のいずれか１項に記載の発泡体クッションアセンブリ。
【請求項４０】
前記クッション支持部品の口側部領域は、厚さに対する高さの割合が、３から８０である、請求項１から３９のいずれか１項に記載の発泡体クッションアセンブリ。
【請求項４１】
前記クッション支持部品の口底部領域は、厚さに対する前記高さの割合が、１０から１００である、請求項１から４０のいずれか１項に記載の発泡体クッションアセンブリ。
【請求項４２】
前記クッション支持部品の全周にわたって、厚さに対する高さの割合が少なくとも３である、請求項１から４１のいずれか１項に記載の発泡体クッションアセンブリ。
【請求項４３】
前記発砲体クッションは、前記鼻および口のために、共通のプレナムチャンバを前記フレームと共に形成するように配置されている、請求項１から４２のいずれか１項に記載の発泡体クッションアセンブリ。
【請求項４４】
前記クッション支持部品は、内側に凹面の断面を有しており、
（ａ）前記フレームに対する前記発砲体クッションのたわみの一つまたは複数を使用時にもたらすために、
（ｂ）前記発砲体クッションアセンブリの加圧ガスに応答する空気ばねの一つまたは複数を前記発砲体クッションに使用時にもたらすために、および
（ｃ）前記発砲体クッションのための片持ちばねの一つまたは複数を使用時にもたらすために、
その凹面の部分において可撓性である、請求項１から４３のいずれか１項に記載の発泡体クッションアセンブリ。
【請求項４５】
呼吸治療装置に連結して、前記呼吸治療装置から患者の呼吸器系に加圧ガスを連通可能にするように構成されたフレームと、
請求項１から４４のいずれか１項に記載の、前記フレームに連結するように構成されたクッションアセンブリと、を備える、呼吸治療のための患者インタフェース装置。